(57)【要約】【課題】緊急時に緊急停止指示手段による緊急停止だけでなく、正確に摺動板を上昇させることが可能な塵芥収集車の提供。【解決手段】塵芥積込装置８による塵芥の積込動作を緊急停止させる緊急停止指示ボタン２２ｅと、摺動板を上昇させる上昇指示ボタン２２ｃとを含む複数の指示ボタン２２ａ〜２２ｅが設けられた操作装置を備え、緊急停止指示ボタン２２ｅおよび上昇指示ボタン２２ｃは、互いに異なる外観を有するものであり、かつ操作装置の他の指示ボタン２２ａ，２２ｂ，２２ｄとは異なる外観を有する。【選択図】図３
2010202367.tif 000002
【特許請求の範囲】
【請求項１】
車体上に搭載され、後方開口部を有する塵芥収容箱と、
この塵芥収容箱の後方開口部に連設され、塵芥の投入口を有する塵芥投入箱と、
この塵芥投入箱に装備される塵芥積込装置であり、上下方向に摺動する摺動板と、この摺動板に軸支されて車体前後方向に揺動する圧縮板とを備えた塵芥積込装置とを含み、
前記摺動板の摺動動作および前記圧縮板の揺動動作により、前記摺動板と圧縮板とが反転、下降、圧縮および上昇を１サイクルとして作動することで、前記塵芥投入箱に投入された塵芥を前記塵芥収容箱に積み込むように構成された塵芥収集車であって、
前記塵芥積込装置による塵芥の積込動作を緊急停止させる緊急停止指示手段と、前記摺動板を上昇させる上昇指示手段とを含む複数の操作手段が設けられた操作装置を前記塵芥投入箱の投入口近傍に備え、
前記緊急停止指示手段および上昇指示手段は、互いに異なる外観を有するものであり、かつ前記操作装置の他の操作手段とは異なる外観を有するものである
ことを特徴とする塵芥収集車。
【請求項２】
前記操作装置は、前記上昇指示手段に加えて、前記摺動板と圧縮板とを順次反転、下降、圧縮および上昇させて積込動作させる積込指示手段と、前記摺動板を下降させる下降指示手段と、前記圧縮板を反転動作させる反転指示手段とを含む複数の操作手段が並べて設けられたものである請求項１記載の塵芥収集車。
【請求項３】
前記緊急停止指示手段および上昇指示手段は良視認性を有するものであり、前記積込指示手段、下降指示手段および反転指示手段を含む複数の操作手段は劣視認性を有するものである請求項２記載の塵芥収集車。
【請求項４】
前記積込指示手段、下降指示手段および反転指示手段を含む複数の操作手段は無地のボタン、前記緊急停止指示手段は赤色に着色されたボタン、前記上昇指示手段は黄色に着色されたボタンである請求項２または３に記載の塵芥収集車。
【請求項５】
前記上昇指示手段は、前記緊急停止指示手段を含む他の操作手段とは色および形のいずれか一方または両方が異なるものである請求項１から４のいずれかに記載の塵芥収集車。
【請求項６】
車体上に搭載され、後方開口部を有する塵芥収容箱と、
この塵芥収容箱の後方開口部に連設され、塵芥の投入口を有する塵芥投入箱と、
この塵芥投入箱に装備される塵芥積込装置であり、車体前後方向に揺動する押込板と、この押込板の下端付近に回転中心を有して正逆転する回転板とを備えた塵芥積込装置とを含み、
前記押込板の揺動動作および前記回転板の回転動作により、前記回転板の後方から前方への下回りの正回転により掻き集め、この掻き集めた塵芥を、前記後方開口部に対応する対応位置にて前記回転板を停止させた状態で、前記押込板を後方から前方へ揺動させることで、前記後方開口部を経て前記塵芥を前記塵芥収容箱に積み込むように構成された塵芥収集車であって、
前記塵芥積込装置による塵芥の積込動作を緊急停止させる緊急停止指示手段と、前記回転板を逆回転させる逆転指示手段とを含む複数の操作手段が設けられた操作装置を前記塵芥投入箱の投入口近傍に備え、
前記緊急停止指示手段および逆転指示手段は、互いに異なる外観を有するものであり、かつ前記操作装置の他の操作手段とは異なる外観を有するものである
ことを特徴とする塵芥収集車。
【請求項７】
前記操作装置は、前記逆転指示手段に加えて、前記押込板の揺動動作および回転板の回転動作により積込動作させる積込指示手段と、前記押込板を車体後方から前方へ揺動させる押込指示手段と、前記押込板を車体前方から後方へ揺動させる後退指示手段とを含む複数の操作手段が並べて設けられたものである請求項６記載の塵芥収集車。
【請求項８】
前記緊急停止指示手段および逆転指示手段は良視認性を有するものであり、前記積込指示手段、下降指示手段および反転指示手段を含む複数の操作手段は劣視認性を有するものである請求項７記載の塵芥収集車。
【請求項９】
前記積込指示手段、押込指示手段および後退指示手段を含む複数の操作手段は無地のボタン、前記緊急停止指示手段は赤色に着色されたボタン、前記逆転指示手段は黄色に着色されたボタンである請求項７または８に記載の塵芥収集車。
【請求項１０】
前記逆転指示手段は、前記緊急停止指示手段を含む他の操作手段とは色および形のいずれか一方または両方が異なるものである請求項７から９のいずれかに記載の塵芥収集車。
【発明の詳細な説明】
【技術分野】
【０００１】
本発明は、車体上に搭載された塵芥収容箱と、この塵芥収容箱の後方開口部に連設され、内部に塵芥積込装置を装備した塵芥投入箱とを備えた塵芥収集車に関する。
【背景技術】
【０００２】
従来、塵芥収集車において、塵芥投入箱の投入口の下部に緊急停止装置を設け、作業者が塵芥の塵芥投入箱への投入作業時に、緊急停止レバーを操作して緊急停止装置を作動させることで塵芥積込装置の作動を停止して、作業者が塵芥積込装置に巻き込まれないようにした安全装置を備えたものが知られている（例えば、特許文献１参照。）。
【０００３】
また、緊急停止レバーに加えて、積込動作を緊急停止させる緊急停止ボタンを含む複数の押込ボタンが設けられた積込操作ボックスを備えた塵芥収集車が知られている（例えば、特許文献２参照。）。この積込操作ボックスには、緊急停止ボタンの他にも、塵芥積込装置の圧縮板を圧縮動作させる積込ボタン、摺動板を下降させる下降ボタン、摺動板を上昇させる上昇ボタン、圧縮板を反転動作させる反転ボタンが並べて設けられている。
【先行技術文献】
【特許文献】
【０００４】
【特許文献１】特開２００５−６７７４５号公報
【特許文献２】特開２００８−１８４３０８号公報
【発明の概要】
【発明が解決しようとする課題】
【０００５】
ところで、この積込操作ボックスは、各ボタンを含めて操作面の全体が一つのゴムカバーにより覆われている。ゴムカバーには各ボタンに対応する位置に凹凸が設けられており、各ボタンはこのゴムカバーを介して押し込まれる。また、このゴムカバーはゴム成型品であるため、単色無地であるが、緊急停止ボタンの部分だけはそれと分かるように赤色に着色されている。
【０００６】
これにより、塵芥積込装置に作業者の手足が挟まれてしまった場合には、この赤色に着色された緊急停止ボタンを容易に識別することができるので、即座にこの緊急停止ボタンを押し込んで積込動作を緊急停止させることが可能である。そして、上昇ボタンを押し込めば、摺動板を上昇させて待避させることができ、作業者が塵芥積込装置に巻き込まれないようにしている。
【０００７】
ところが、実際に塵芥積込装置に作業者の手足が挟まれてしまうと、作業者は気が動転していることがあるため、赤色に着色された緊急停止ボタンは正確に押し込むことができたとしても、似たような複数の押込ボタンの中から正確に上昇ボタンを識別して押し込み、摺動板を上昇させるような待避操作ができるとは限らない。
【０００８】
そこで、本発明においては、緊急時に緊急停止ボタンのような緊急停止指示手段による緊急停止だけでなく、正確に摺動板を上昇させるような待避操作を行うことが可能な塵芥収集車を提供することを目的とする。
【課題を解決するための手段】
【０００９】
本発明の塵芥収集車は、車体上に搭載され、後方開口部を有する塵芥収容箱と、この塵芥収容箱の後方開口部に連設され、塵芥の投入口を有する塵芥投入箱と、この塵芥投入箱に装備される塵芥積込装置であり、上下方向に摺動する摺動板と、この摺動板に軸支されて車体前後方向に揺動する圧縮板とを備えた塵芥積込装置とを含み、摺動板の摺動動作および圧縮板の揺動動作により、摺動板と圧縮板とが反転、下降、圧縮および上昇を１サイクルとして作動することで、塵芥投入箱に投入された塵芥を塵芥収容箱に積み込むように構成された塵芥収集車であって、塵芥積込装置による塵芥の積込動作を緊急停止させる緊急停止指示手段と、摺動板を上昇させる上昇指示手段とを含む複数の操作手段が設けられた操作装置を塵芥投入箱の投入口近傍に備え、緊急停止指示手段および上昇指示手段は、互いに異なる外観を有するものであり、かつ操作装置の他の操作手段とは異なる外観を有するものである。
【００１０】
本発明の塵芥収集車によれば、緊急停止指示手段および上昇指示手段が、互いに異なる外観を有し、かつ操作装置の他の操作手段とは異なる外観を有するので、緊急停止指示手段および上昇指示手段を他の操作手段とは明確に識別することができ、緊急時には緊急停止指示手段および上昇指示手段を正確に操作することができ、確実に積込動作の緊急停止および摺動板の上昇を行うことが可能となる。
【００１１】
これにより、操作装置が、上昇指示手段に加えて、摺動板と圧縮板とを順次反転、下降、圧縮および上昇させて積込動作させる積込指示手段と、摺動板を下降させる下降指示手段と、圧縮板を反転動作させる反転指示手段とを含む複数の操作手段が並べて設けられたものである場合であっても、緊急時には緊急停止指示手段および上昇指示手段を操作して正確に積込動作の緊急停止および摺動板の上昇を行うことが可能であり、緊急停止指示手段および上昇指示手段と並べて設けられた積込指示手段、下降指示手段または反転指示手段を誤って操作することが防止される。
【００１２】
また、本発明の塵芥収集車は、緊急停止指示手段および上昇指示手段は良視認性を有するものであり、積込指示手段、下降指示手段および反転指示手段を含む複数の操作手段は劣視認性を有するものであることが望ましい。この場合、緊急停止指示手段および上昇指示手段が、他の積込指示手段、下降指示手段および反転指示手段を含む複数の操作手段と比較して特に際立って見えるため、複数の操作手段の中から緊急停止指示手段および上昇指示手段を容易かつ明確に識別することができる。
【００１３】
また、上昇指示手段は、緊急停止指示手段を含む他の操作手段とは色および形のいずれか一方または両方が異なるものであることが望ましい。これにより、摺動板を上昇させる場合には、緊急停止指示手段を含む他の操作手段とは色および形のいずれか一方または両方が異なる上昇指示手段を容易に識別して正確に操作することができる。
【００１４】
また、本発明の塵芥収集車は、積込指示手段、下降指示手段および反転指示手段を含む複数の操作手段が無地のボタン、緊急停止指示手段が赤色に着色されたボタン、上昇指示手段が黄色に着色されたボタンであることが望ましい。これにより、塵芥積込装置に作業者の手足が挟まれてしまった場合に、赤色に着色されたボタンを直感的に識別して押し込むことで、最優先の積込動作の緊急停止を行うことができるとともに、積込動作の緊急停止後は、黄色に着色されたボタンを識別して押し込むことで、揺動板を上昇させることができる。
【００１５】
また、本発明の別の塵芥収集車は、車体上に搭載され、後方開口部を有する塵芥収容箱と、この塵芥収容箱の後方開口部に連設され、塵芥の投入口を有する塵芥投入箱と、この塵芥投入箱に装備される塵芥積込装置であり、車体前後方向に揺動する押込板と、この押込板の下端付近に回転中心を有して正逆転する回転板とを備えた塵芥積込装置とを含み、押込板の揺動動作および回転板の回転動作により、回転板の後方から前方への下回りの正回転により掻き集め、この掻き集めた塵芥を、後方開口部に対応する対応位置にて回転板を停止させた状態で、押込板を後方から前方へ揺動させることで、後方開口部を経て塵芥を塵芥収容箱に積み込むように構成された塵芥収集車であって、塵芥積込装置による塵芥の積込動作を緊急停止させる緊急停止指示手段と、回転板を逆回転させる逆転指示手段とを含む複数の操作手段が設けられた操作装置を塵芥投入箱の投入口近傍に備え、緊急停止指示手段および逆転指示手段は、互いに異なる外観を有するものであり、かつ操作装置の他の操作手段とは異なる外観を有するものである。
【００１６】
本発明の塵芥収集車によれば、緊急停止指示手段および逆転指示手段が、互いに異なる外観を有し、かつ操作装置の他の操作手段とは異なる外観を有するので、緊急停止指示手段および逆転指示手段を他の操作手段とは明確に識別することができ、緊急時には緊急停止指示手段および逆転指示手段を正確に操作することができ、確実に積込動作の緊急停止および回転板の逆回転を行うことが可能となる。
【００１７】
これにより、操作装置が、逆転指示手段に加えて、押込板の揺動動作および回転板の回転動作により積込動作させる積込指示手段と、押込板を車体後方から前方へ揺動させる押込指示手段と、押込板を車体前方から後方へ揺動させる後退指示手段とを含む複数の操作手段が並べて設けられたものである場合であっても、緊急時には緊急停止指示手段および逆転指示手段を操作して正確に積込動作の緊急停止および回転板の逆回転を行うことが可能であり、緊急停止指示手段および逆転指示手段と並べて設けられた積込指示手段、押込指示手段または後退指示手段を誤って操作することが防止される。
【００１８】
また、本発明の塵芥収集車は、緊急停止指示手段および逆転指示手段は良視認性を有するものであり、積込指示手段、押込指示手段および後退指示手段を含む複数の操作手段は劣視認性を有するものであることが望ましい。この場合、緊急停止指示手段および逆転指示手段が、他の積込指示手段、押込指示手段および後退指示手段を含む複数の操作手段と比較して特に際立って見えるため、複数の操作手段の中から緊急停止指示手段および逆転指示手段を容易かつ明確に識別することができる。
【００１９】
また、逆転指示手段は、緊急停止指示手段を含む他の操作手段とは色および形のいずれか一方または両方が異なるものであることが望ましい。これにより、回転板を逆回転させる場合には、緊急停止指示手段を含む他の操作手段とは色および形のいずれか一方または両方が異なる逆転指示手段を容易に識別して正確に操作することができる。
【００２０】
また、本発明の塵芥収集車は、積込指示手段、押込指示手段および後退指示手段を含む複数の操作手段が無地のボタン、緊急停止指示手段が赤色に着色されたボタン、逆転指示手段が黄色に着色されたボタンであることが望ましい。これにより、塵芥積込装置に作業者の手足が挟まれてしまった場合に、赤色に着色されたボタンを直感的に識別して押し込むことで、最優先の積込動作の緊急停止を行うことができるとともに、積込動作の緊急停止後は、黄色に着色されたボタンを識別して押し込むことで、回転板を逆回転させることができる。
【発明の効果】
【００２１】
（１）摺動板の摺動動作および圧縮板の揺動動作により、摺動板と圧縮板とが反転、下降、圧縮および上昇を１サイクルとして作動することで、塵芥投入箱に投入された塵芥を塵芥収容箱に積み込むように構成された塵芥収集車であって、塵芥積込装置による塵芥の積込動作を緊急停止させる緊急停止指示手段と、摺動板を上昇させる上昇指示手段とを含む複数の操作手段が設けられた操作装置を塵芥投入箱の投入口近傍に備え、緊急停止指示手段および上昇指示手段が、互いに異なる外観を有するものであり、かつ操作装置の他の操作手段とは異なる外観を有するものであることにより、緊急停止指示手段および上昇指示手段を他の操作手段とは明確に識別することができるため、緊急時には緊急停止指示手段および上昇指示手段を正確に操作することができる。これにより、緊急時に緊急停止ボタンのような緊急停止指示手段による緊急停止だけでなく、正確に摺動板を上昇させるような待避操作を行うことが可能となる。
【００２２】
（２）操作装置が、上昇指示手段に加えて、摺動板と圧縮板とを順次反転、下降、圧縮および上昇させて積込動作させる積込指示手段と、摺動板を下降させる下降指示手段と、圧縮板を反転動作させる反転指示手段とを含む複数の操作手段が並べて設けられたものである場合であっても、緊急時には緊急停止指示手段および上昇指示手段を操作して正確に積込動作の緊急停止および摺動板の上昇を行うことが可能であり、緊急停止指示手段および上昇指示手段と並べて設けられた積込指示手段、下降指示手段または反転指示手段を誤って操作することが防止される。
【００２３】
（３）緊急停止指示手段および上昇指示手段が良視認性を有するものであり、積込指示手段、下降指示手段および反転指示手段を含む複数の操作手段が劣視認性を有するものであることにより、複数の操作手段の中から特に際立って見える緊急停止指示手段および上昇指示手段を容易かつ明確に識別することができるので、より正確に緊急停止および摺動板上昇を行うことが可能となる。
【００２４】
（４）上昇指示手段が、緊急停止指示手段を含む他の操作手段とは色および形のいずれか一方または両方が異なるものであることにより、摺動板を上昇させる場合には、緊急停止指示手段を含む他の操作手段とは色および形のいずれか一方または両方が異なる上昇指示手段を容易に識別して正確に操作することができ、より正確に緊急停止および摺動板上昇を行うことが可能となる。
【００２５】
（５）積込指示手段、下降指示手段および反転指示手段を含む複数の操作手段が無地のボタン、緊急停止指示手段が赤色に着色されたボタン、上昇指示手段が黄色に着色されたボタンであることにより、塵芥積込装置に作業者の手足が挟まれてしまった場合に、赤色に着色されたボタンを直感的に識別して押し込むことで、最優先の積込動作の緊急停止を行うことができるとともに、積込動作の緊急停止後は、黄色に着色されたボタンを識別して押し込むことで、揺動板を上昇させることができる。
【００２６】
（６）押込板の揺動動作および回転板の回転動作により、回転板の後方から前方への下回りの正回転により掻き集め、この掻き集めた塵芥を、後方開口部に対応する対応位置にて回転板を停止させた状態で、押込板を後方から前方へ揺動させることで、後方開口部を経て塵芥を塵芥収容箱に積み込むように構成された塵芥収集車であって、塵芥積込装置による塵芥の積込動作を緊急停止させる緊急停止指示手段と、回転板を逆回転させる逆転指示手段とを含む複数の操作手段が設けられた操作装置を塵芥投入箱の投入口近傍に備え、緊急停止指示手段および逆転指示手段が、互いに異なる外観を有するものであり、かつ操作装置の他の操作手段とは異なる外観を有するものであることにより、緊急停止指示手段および逆転指示手段を他の操作手段とは明確に識別することができるため、緊急時には緊急停止指示手段および逆転指示手段を正確に操作することができる。これにより、緊急時に緊急停止ボタンのような緊急停止指示手段による緊急停止だけでなく、正確に回転板を逆回転させるような待避操作を行うことが可能となる。
【００２７】
（７）操作装置が、逆転指示手段に加えて、押込板の揺動動作および回転板の回転動作により積込動作させる積込指示手段と、押込板を車体後方から前方へ揺動させる押込指示手段と、押込板を車体前方から後方へ揺動させる後退指示手段とを含む複数の操作手段が並べて設けられたものである場合であっても、緊急時には緊急停止指示手段および逆転指示手段を操作して正確に積込動作の緊急停止および回転板の逆回転を行うことが可能であり、緊急停止指示手段および逆転指示手段と並べて設けられた積込指示手段、押込指示手段または後退指示手段を誤って操作することが防止される。
【００２８】
（８）緊急停止指示手段および逆転指示手段が良視認性を有するものであり、積込指示手段、押込指示手段および後退指示手段を含む複数の操作手段が劣視認性を有するものであることにより、複数の操作手段の中から特に際立って見える緊急停止指示手段および逆転指示手段を容易かつ明確に識別することができるので、より正確に緊急停止および回転板の逆回転を行うことが可能となる。
【００２９】
（９）逆転指示手段が、緊急停止指示手段を含む他の操作手段とは色および形のいずれか一方または両方が異なるものであることにより、回転板を逆回転させる場合には、緊急停止指示手段を含む他の操作手段とは色および形のいずれか一方または両方が異なる逆転指示手段を容易に識別して正確に操作することができ、より正確に緊急停止および回転板の逆回転を行うことが可能となる。
【００３０】
（１０）積込指示手段、押込指示手段および後退指示手段を含む複数の操作手段が無地のボタン、緊急停止指示手段が赤色に着色されたボタン、逆転指示手段が黄色に着色されたボタンであることにより、塵芥積込装置に作業者の手足が挟まれてしまった場合に、赤色に着色されたボタンを直感的に識別して押し込むことで、最優先の積込動作の緊急停止を行うことができるとともに、積込動作の緊急停止後は、黄色に着色されたボタンを識別して押し込むことで、回転板を逆回転させることができる。
【図面の簡単な説明】
【００３１】
【図１】本発明の第１の実施の形態における塵芥収集車の後部を断面にて示す側面断面図である。
【図２】図１の塵芥投入箱における摺動用開口およびその周辺の拡大側面図である。
【図３】図１の塵芥収集車の背面図および部分詳細図である。
【図４】図１の塵芥収集車の油圧回路構成を示す回路図である。
【図５】塵芥積込装置の上昇終了位置を説明する概略縦断面図である。
【図６】塵芥積込装置の反転終了位置を説明する概略縦断面図である。
【図７】塵芥積込装置の下降終了位置を説明する概略縦断面図である。
【図８】塵芥積込装置の最前方位置の状態を説明する概略縦断面図である。
【図９】本発明の第２の実施の形態における塵芥積込装置の回転板の正回転初期位置を示す塵芥投入箱の概略縦断面図である。
【図１０】回転板による塵芥の掻き集め動作を示す塵芥投入箱の概略縦断面図である。
【図１１】回転板を対応位置に停止させた状態での押込板による押込動作を示す塵芥投入箱の概略縦断面図である。
【図１２】押込板の押込状態を示す塵芥投入箱の概略縦断面図である。
【図１３】本発明の第２の実施の形態における塵芥積込装置の操作装置の拡大図である。
【発明を実施するための形態】
【００３２】
（実施の形態１）
図１は本発明の第１の実施の形態における塵芥収集車の後部を断面にて示す側面断面図、図２は図１の塵芥投入箱における摺動用開口およびその周辺の拡大側面図である。なお、以下の説明において、前後方向は車体の前後方向と同じ方向を指すものとし、左右方向は車体の前方に向かって左右方向を指すものとする。
【００３３】
図１において、塵芥収集車１の車体２上には塵芥収容箱３が搭載されている。この塵芥収容箱３の後端の後方開口部４には、塵芥投入箱５が連設されている。塵芥投入箱５は、後方開口部４の上方で投入箱支持ピン６により軸支されている。塵芥投入箱５は、塵芥収容箱３と塵芥投入箱５との間に設けられた回動シリンダ２４（図４参照。）の伸縮動作により、投入箱支持ピン６を中心に回動自在となっている。
【００３４】
塵芥投入箱５の後部には投入口７が開口されている。この投入口７は、昇降可能なテールゲート１９（図３参照。）を降下させることにより、閉塞させることができる。塵芥投入箱５の内部には、圧縮式の塵芥積込装置８が装備されている。塵芥積込装置８は、塵芥投入箱５内に投入口７を通じて投入された塵芥を圧縮して、塵芥収容箱３内に積み込むためのものである。
【００３５】
塵芥投入箱５の左右両側壁には、溝型鋼で形成された案内溝部材９が補強枠を兼ねて前方上部より後方下部に向かって敷設されている。塵芥投入箱５内には、その横幅一杯に広がる摺動板１０が収容されている。この摺動板１０の左右両側縁の上下には、案内ローラ１１が回転可能に設けられている。これらの案内ローラ１１は、案内溝部材９の内壁に沿って摺動自在に嵌入されている。
【００３６】
図２に示すように、摺動板１０の背面上部の左右端部にはボス部１２が設けられている。このボス部１２には、摺動板支持軸１３が挿通されている。この摺動板支持軸１３は、塵芥投入箱５の左右両側壁に形成された摺動用開口５ａを越えて塵芥投入箱５の内側より外側に突出するように配置されている。
【００３７】
また、図２に示すように、塵芥投入箱５の左右両側壁からそれぞれ外側に突出した摺動板支持軸１３と塵芥投入箱５の下部間には、左右それぞれ塵芥投入箱５の外側に案内溝部材９の傾斜方向に沿って配置された摺動シリンダ１８がそれぞれ連結されている。摺動シリンダ１８は、棒状のシリンダロッド１８ａと、塵芥投入箱５の側壁に取り付けられた円筒状のシリンダチューブ１８ｂとを備えている。シリンダチューブ１８ｂには、油圧配管を接続するための円筒状の配管用ポート１８ｃが突出して形成されている。この摺動シリンダ１８の伸縮動作によって、摺動板１０は案内溝部材９に沿って上下に往復移動する。
【００３８】
図１に戻って、摺動板１０の下端には、塵芥投入箱５の横幅一杯に広がる圧縮板１５が前後方向に揺動自在に支持されている。この圧縮板１５の先端は前方に向かって若干屈折形成されている。また、圧縮板１５の左右両背面には接続部１５ａが突設されている。この左右それぞれの接続部１５ａと、摺動板１０の背面上部に設けられた摺動板支持軸１３の左右両端部との間には、それぞれ揺動シリンダ１４が連結されている。この揺動シリンダ１４の伸縮作動によって、圧縮板１５は前後に揺動する。
【００３９】
塵芥収容箱３内には排出板１６が車体前後方向に摺動自在に配設されている。排出板１６は、塵芥収容箱３の横幅および上下高さと略同じ大きさに形成された板状体である。この排出板１６は、排出シリンダ１７の伸縮動作により塵芥収容箱３内を前後に摺動する。
【００４０】
図３は図１の塵芥収集車の背面図および部分詳細図である。図３に示すように、塵芥投入箱５の投入口７の左側方には、塵芥積込装置８の動作を制御するための操作装置２０が設けられている。操作装置２０は、塵芥積込装置８による塵芥の積込動作を緊急停止させる緊急停止指示手段としての緊急停止指示ボタン２２ｅを含む複数のプッシュ式のスイッチが設けられたスイッチボックス２１で構成されている。
【００４１】
スイッチボックス２１には、緊急停止指示ボタン２２ｅの他にも、摺動板１０と圧縮板１５とを順次反転、下降、圧縮および上昇させて積込動作させる積込指示手段としての積込指示ボタン２２ａと、摺動板１０を下降させる下降指示ボタン２２ｂと、摺動板１０を上昇させる上昇指示ボタン２２ｃと、圧縮板１５を反転動作させる反転指示ボタン２２ｄとが設けられている。
【００４２】
なお、このスイッチボックス２１は、各指示ボタン２２ａ〜２２ｅを含めて操作面の全体が一つのゴムカバーにより覆われている。ゴムカバーには各指示ボタン２２ａ〜２２ｅに対応する位置に凹凸が設けられており、各指示ボタン２２ａ〜２２ｅはこのゴムカバーを介して押し込まれる。また、このゴムカバーはゴム成型品であり、下地の色が黒色の単色無地であるが、緊急停止指示ボタン２２ｅの部分は赤色に、上昇指示ボタン２２ｃの部分は黄色に、それぞれ着色されている。
【００４３】
次に本実施形態における塵芥収集車の油圧回路構成について説明する。図４は図１の塵芥収集車の油圧回路構成を示す回路図である。
【００４４】
図４に示すように、この油圧回路３０では、揺動シリンダ１４、排出シリンダ１７、摺動シリンダ１８、ロックシリンダ２３および回動シリンダ２４の５種類のシリンダをそれぞれ油圧制御している。揺動シリンダ１４は、圧縮板１５を車体前後方向に揺動させるためのものである。摺動シリンダ１８は、摺動板１０を上下方向に摺動させるためのものである。
【００４５】
排出シリンダ１７は、塵芥収容箱３内に配設された排出板１６を車体前後方向に摺動させるためのものである。排出板１６は、塵芥収容箱３に塵芥４０を積込む際には、塵芥収容箱３内の最後方位置に配置しておく。そして、塵芥積込装置８により積込まれる塵芥４０が排出板１６を押圧する力が所定以上に達した際に、排出シリンダ１７を縮退させることで、排出板１６が徐々に前方に移動するようにしている。このような排出板１６の移動動作によって、塵芥４０を圧縮しながら塵芥収容箱３内へ積み込むことができるようになっている。
【００４６】
また、塵芥収容箱３が塵芥で満杯状態になったときには、排出シリンダ１７を伸長させることで、塵芥収容箱３の前部に位置する排出板１６を後方に移動させ、塵芥収容箱３内に収容された塵芥４０を排出することができるようになっている。なお、排出シリンダ１７は、塵芥収容箱３内の限られた収容スペースにおいてできるだけ長い伸縮量を確保するために、多段伸縮式のテレスコピックシリンダで構成されている。
【００４７】
ロックシリンダ２３は、塵芥投入箱５を閉じた位置でロックするためのものである。このロックシリンダ２３は、塵芥処理場において塵芥収容箱３内の塵芥を廃棄する際に伸長させて、塵芥投入箱５のロックを解除し、塵芥投入箱５を開いて後方開口部４を開放することができるようになっている。回動シリンダ２４は、塵芥投入箱５を、投入箱支持ピン６を中心にして上方に回動させて、塵芥収容箱３の後部を開放状態にするためのものである。
【００４８】
各シリンダ１４，１７，１８，２３，２４は、油圧配管３０ａを介して油圧切替部３１に接続されている。この油圧切替部３１は、図示しない複数の電磁弁を備えており、これらの電磁弁の開閉ポートを切り替えることにより、油圧ポンプ３２から吐出された作動油が所望のシリンダに対して供給される。これにより、各シリンダ１４，１７，１８，２３，２４の伸縮動作の切り替えが制御され、または動作が停止される。
【００４９】
油圧回路３０は、作動油を貯留する油圧タンク３３を備える。油圧回路３０は、油圧タンク３３内の作動油を油圧ポンプ３２で吸い上げて供給側の油圧配管３０ｂに流通させ、油圧切替部３１に供給されるように構成されている。そして、油圧切替部３１を通過した作動油は、回収側の油圧配管３０ｃに流通させ、リターンフィルタ３４で濾過された後、油圧配管３０ｃ’を流通させて、再び油圧タンク３３に回収されるようになっている。
【００５０】
また、前述の操作装置２０には、運転席内に設けられたコントローラ３５が接続されている。操作装置２０は、積込指示ボタン２２ａが押し込まれた際には、コントローラ３５に対して、摺動板１０と圧縮板１５とを順次反転、下降、圧縮および上昇させて積込動作させる積込信号を出力する。同様に、操作装置２０は、下降指示ボタン２２ｂまたは上昇指示ボタン２２ｃが押し込まれた際には、コントローラ３５に対して、各ボタン２２ｂ，２２ｃが押し込まれている間、それぞれ摺動板１０を下降または上昇させる下降信号または上昇信号を出力する。
【００５１】
また、操作装置２０は、反転指示ボタン２２ｄが押し込まれた際には、コントローラ３５に対して、圧縮板１５を反転動作させる反転信号を出力する。さらに、操作装置２０は、緊急停止指示ボタン２２ｅが押し込まれた際には、コントローラ３５に対して積込動作を緊急停止させる停止信号を出力する。コントローラ３５は、これらの操作装置２０から出力された各種信号を受信すると、油圧切替部３１に対し、各種信号に応じて電磁弁の開閉ポートを切り替えて、摺動シリンダ１８および揺動シリンダ１４を伸縮動作、または停止させるように制御する制御信号を出力する。
【００５２】
次に、上記構成の塵芥積込装置８の運転動作について図５から図８を参照して説明する。図５は塵芥積込装置８の上昇終了位置を説明する概略縦断面図、図６は塵芥積込装置８の反転終了位置を説明する概略縦断面図、図７は塵芥積込装置８の下降終了位置を説明する概略縦断面図、図８は塵芥積込装置８の最前方位置の状態を説明する概略縦断面図である。なお、図５〜図８において、簡略化のために、摺動シリンダ１８は省略している。
【００５３】
図５に示すように、摺動シリンダ１８および揺動シリンダ１４がいずれも伸長して摺動板１０が上昇終了位置（最上位置）にある状態で、投入口７を通して塵芥４０を塵芥投入箱５内に投入し、積込指示ボタン２２ａを押し込み操作する。積込指示ボタン２２ａによる積込指示がなされると、操作装置２０はコントローラ３５に対して前述の積込信号を出力する。そして、コントローラ３５は、この積込信号を受けて、以下の積込動作を行うように油圧切替部３１の動作を制御する。
【００５４】
まず、図５に示す状態で、揺動シリンダ１４が縮退作動して圧縮板１５が反転作動し、反転終了位置（図６参照。）に達する（反転工程）。この後、摺動シリンダ１８が縮退作動して摺動板１０が下降し、これに伴って圧縮板１５が下降する（下降工程）。そして、圧縮板１５が下降終了位置（図７参照。）に達すると、揺動シリンダ１４を伸長させて圧縮板１５を前方に揺動させ、圧縮工程に移行する。
【００５５】
そして、圧縮板１５が最前方位置（図８参照。）まで揺動する（圧縮行程）と、摺動シリンダ１８を伸長させて圧縮板１５を上昇させる（上昇工程）。この圧縮板１５が上昇終了位置に達すると（図５参照。）、一連の積込動作を終了する。これにより反転、下降、圧縮、上昇の各工程を１サイクルとして塵芥積込動作を繰り返して行うことができる。
【００５６】
なお、上記一連の積込動作中、緊急停止指示ボタン２２ｅによる緊急停止指示がなされると、操作装置２０はコントローラ３５に対して積込動作を緊急停止させる停止信号を出力する。そして、コントローラ３５は、この停止信号を受けて、摺動シリンダ１８および揺動シリンダ１４の伸縮動作を停止するように油圧切替部３１の動作を制御する。
【００５７】
以上説明したように、本実施形態おける塵芥収集車１によれば、摺動板１０や圧縮板１５に作業者の手足が挟まれて巻き込まれそうになっても、緊急停止指示ボタン２２ｅを押すことで、摺動板１０および圧縮板１５は緊急停止し、作業者の巻き込みを防止することができる。
【００５８】
特に、この塵芥収集車１においては、この緊急停止指示を行う際の緊急停止指示ボタン２２ｅが、赤色に着色されており、同じスイッチボックス２１に並べて配置されている他の指示ボタン２２ａ〜２２ｄとは異なる外観を有するため、これらの他の指示ボタン２２ａ〜２２ｄとは明確に識別することができ、緊急時に正確に操作することが可能である。
【００５９】
また、この緊急停止後に、塵芥積込装置８に作業者の手足が挟まれてしまっている場合には、黄色に着色された上昇指示ボタン２２ｃを押すことで、摺動板１０を上昇させることが可能である。このとき、操作装置２０は、コントローラ３５に対して上昇指示ボタン２２ｃが押し込まれている間、摺動板１０を上昇させる上昇信号を出力し、コントローラ３５は摺動シリンダ１８を伸長させて摺動板１０を上昇させる。
【００６０】
このように、この塵芥収集車１では、上昇指示ボタン２２ｃが黄色に着色されており、同じスイッチボックス２１に並べて配置されている他の指示ボタン２２ａ，２２ｂ，２２ｄ，２２ｅとは異なる外観を有するため、これらの他の指示ボタン２２ａ，２２ｂ，２２ｄ，２２ｅとは明確に識別することができ、緊急停止指示ボタン２２ｅによる緊急停止だけでなく、正確に摺動板を上昇させることが可能である。
【００６１】
したがって、この塵芥収集車１では、緊急時には赤色に着色された緊急停止指示ボタン２２ｅおよび黄色に着色された上昇指示ボタン２２ｃを操作して正確に積込動作の緊急停止および摺動板１０の上昇を行うことが可能であり、同じスイッチボックス２１に並べて設けられた他の指示ボタン２２ａ，２２ｂ，２２ｄを誤って操作することが防止されている。
【００６２】
なお、本実施形態における塵芥収集車１では、緊急停止指示ボタン２２ｅが赤色に着色され、上昇指示ボタン２２ｃが黄色に着色され、他の指示ボタン２２ａ，２２ｂ，２２ｄが黒色の単色無地であるが、これらを別の色とすることも可能である。あるいは、緊急停止ボタン２２ｅおよび上昇指示ボタン２２ｃを他の指示ボタン２２ａ，２２ｂ，２２ｄとは形が異なるものとすることも可能である。
【００６３】
要するに、緊急停止指示ボタン２２ｅおよび上昇指示ボタン２２ｃが良視認性を有するものであり、他の指示ボタン２２ａ，２２ｂ，２２ｄが劣視認性を有するものであれば良い。但し、緊急停止指示ボタン２２ｅと上昇指示ボタン２２ｃとは別の色あるいは別の形で構成する。これにより、複数の指示ボタン２２ａ〜２２ｅの中から特に際立って見える緊急停止指示ボタン２２ｅおよび上昇指示ボタン２２ｃを容易かつ明確に識別することが可能となる。
【００６４】
（実施の形態２）
図９〜図１２は本発明の第２の実施の形態における塵芥積込装置を示す図であって、図９は回転板の正回転初期位置を示す塵芥投入箱の概略縦断面図、図１０は回転板による塵芥の掻き集め動作を示す塵芥投入箱の概略縦断面図、図１１は回転板を対応位置に停止させた状態での押込板による押込動作を示す塵芥投入箱の概略縦断面図、図１２は押込板の押込状態を示す塵芥投入箱の概略縦断面図である。
【００６５】
第２実施形態と第１実施形態との違いは、圧縮式の塵芥積込装置８に代えて、回転式の塵芥積込装置５０を用いて積込作業を行う点にある。以下、第１実施形態との共通部分については同一符号を付し、相違点についてのみ説明する。
【００６６】
図９に示すように、塵芥積込装置５０は、塵芥投入箱５の後部に開口された投入口７の内部に装備されている。塵芥積込装置５０は、車体前後方向に揺動する押込板５１と、この押込板５１の下端付近に回転中心を有して正逆転する回転板５２とを備えている。
【００６７】
押込板５１は、塵芥投入箱５の幅方向全体に亘って延設され、かつ後方開口部４に対向するように配設されている。この押込板５１の上部は、塵芥投入箱５の左右両側壁の中央付近に、中心軸５１ａを介して回動自在に支持されている。押込板５１には、その中心軸５１ａよりも上方に延びる延設部５４が設けられている。この延設部５４の先端には、左右一対の押込シリンダ５３の先端が連設されている。押込シリンダ５３は、その基端が投入箱支持ピン６に回動自在に支持されている。この押込シリンダ５３の伸縮動作により、押込板５１が中心軸５１ａ周りに車体前後方向に揺動するようになっている。
【００６８】
一方、回転板５２は、押込板５１の下側に設けられている。回転板５２は、押込板５１の下端付近に回転中心としての回転軸５２ａを有し、塵芥投入箱５の断面略半円弧状に形成された底壁５５に沿って回転軸５２ａ周りに回転するように構成されている。また、回転軸５２ａの一方は、正逆回転可能なモータ（図示せず。）に減速機構を介して駆動連結されており、このモータにより回転力がトルクアップされた状態で、モータと同期して正逆回転するように構成されている。
【００６９】
また、塵芥投入箱５の投入口７の左側方には、塵芥積込装置５０の動作を制御するための操作装置６０（図１３参照。）が設けられている。操作装置６０は、塵芥積込装置５０による塵芥の積込動作を緊急停止させるための緊急停止指示手段としての緊急停止指示ボタン６２ｅを含む複数のプッシュ式のスイッチが設けられたスイッチボックス６１で構成されている。
【００７０】
スイッチボックス６１には、緊急停止指示ボタン６２ｅの他にも、押込板５１の揺動動作および回転板５２の回転動作により積込動作させる積込指示手段としての積込指示ボタン６２ａと、回転板５２を逆回転させる逆転指示ボタン６２ｂと、押込板５１を車体後方から前方へ揺動させる押込指示ボタン６２ｃと、押込板５１を車体前方から後方へ揺動させる後退指示ボタン６２ｄとが設けられている。
【００７１】
スイッチボックス６１は、各指示ボタン６２ａ〜６２ｅを含めて操作面の全体が一つのゴムカバーにより覆われている。ゴムカバーには各指示ボタン６２ａ〜６２ｅに対応する位置に凹凸が設けられており、各指示ボタン６２ａ〜６２ｅはこのゴムカバーを介して押し込まれる。また、このゴムカバーはゴム成型品であり、下地の色が黒色の単色無地であるが、緊急停止指示ボタン６２ｅの部分は赤色に、逆転指示ボタン６２ｂの部分は黄色に、それぞれ着色されている。
【００７２】
このように構成された塵芥積込装置５０では、まず、図１２に示す状態で、投入口７を通して塵芥４０を塵芥投入箱５内に投入し、積込指示ボタン６２ａを押し込み操作することで、回転板５２が正回転（図９において右回り）し始める。これより遅れて、回転板５２が押込板５１と干渉しない位置まで回転すると、押込シリンダ５３が縮退作動して押込板５１が後方位置（図１０参照。）に位置する。
【００７３】
そして、回転板５２の正回転により塵芥４０が掻き集められ、回転板５２の先端が後方開口部４の下縁に対応する対応位置に達すると、回転板５２が停止する（図１１参照。）。次に、この回転板５２を停止させた状態で、押込シリンダ５３を伸長させることによって、押込板５１が後方位置から前方位置（図１２参照。）へ揺動する。これにより、掻き集められた塵芥４０は後方開口部４を経て塵芥収容箱３内に押し込まれ、一連の積込動作が終了する。
【００７４】
なお、上記一連の積込動作中、緊急停止指示ボタン６２ｅによる緊急停止指示がなされると、操作装置６０は押込シリンダ５３および回転板５２を回転させるモータを緊急停止する。そして、この緊急停止後に、塵芥積込装置５０に作業者の手足が挟まれてしまっている場合には、黄色に着色された逆転指示ボタン６２ｂを押すことで、回転板５２を逆回転させることが可能である。
【００７５】
このように、この塵芥積込装置５０においては、逆転指示ボタン６２ｂが黄色に着色されており、同じスイッチボックス２１に並べて配置されている他の指示ボタン６２ａ，６２ｂ，６２ｃ，６２ｅとは異なる外観を有するため、これらの他の指示ボタン６２ａ，６２ｂ，６２ｃ，６２ｅとは明確に識別することができ、緊急停止指示ボタン２２ｅによる緊急停止だけでなく、正確に摺動板を上昇させることが可能である。
【００７６】
したがって、この塵芥積込装置５０では、緊急時には赤色に着色された緊急停止指示ボタン６２ｅおよび黄色に着色された逆転指示ボタン６２ｂを操作して正確に積込動作の緊急停止および回転板５２の逆回転を行うことが可能であり、同じスイッチボックス６１に並べて設けられた他の指示ボタン６２ａ，６２ｂ，６２ｃを誤って操作することが防止されている。
【００７７】
なお、本実施形態における塵芥積込装置５０では、緊急停止指示ボタン６２ｅが赤色に着色され、逆転指示ボタン６２ｂが黄色に着色され、他の指示ボタン６２ａ，６２ｂ，６２ｃが黒色の単色無地であるが、これらを別の色とすることも可能である。あるいは、緊急停止ボタン６２ｅおよび逆転指示ボタン６２ｂを他の指示ボタン６２ａ，６２ｂ，６２ｃとは形が異なるものとすることも可能である。
【００７８】
要するに、緊急停止指示ボタン６２ｅおよび逆転指示ボタン６２ｂが良視認性を有するものであり、他の指示ボタン６２ａ，６２ｂ，６２ｃが劣視認性を有するものであれば良い。但し、緊急停止指示ボタン６２ｅと逆転指示ボタン６２ｂとは別の色あるいは別の形で構成する。これにより、複数の指示ボタン６２ａ〜６２ｅの中から特に際立って見える緊急停止指示ボタン６２ｅおよび逆転指示ボタン６２ｂを容易かつ明確に識別することが可能となる。
【産業上の利用可能性】
【００７９】
本発明の塵芥収集車は、塵芥積込装置により塵芥を圧縮して積み込むことのできる塵芥収集車として有用である。
【符号の説明】
【００８０】
１  塵芥収集車
２  車体
３  塵芥収容箱
４  後方開口部
５  塵芥投入箱
６  投入箱支持ピン
７  投入口
８  塵芥積込装置
９  案内溝部材
１０  摺動板
１１  案内ローラ
１２  ボス部
１３  摺動板支持軸
１４  揺動シリンダ
１５  圧縮板
１６  排出板
１７  排出シリンダ
１８  摺動シリンダ
２０  操作装置
２１  スイッチボックス
２２ａ  積込指示ボタン
２２ｂ  下降指示ボタン
２２ｃ  上昇指示ボタン
２２ｄ  反転指示ボタン
２２ｅ  緊急停止指示ボタン
２３  ロックシリンダ
２４  回動シリンダ
３０  油圧回路
３０ａ，３０ｂ，３０ｃ  油圧配管
３１  油圧切替部
３２  油圧ポンプ
３３  油圧タンク
３４  リターンフィルタ
３５  コントローラ
４０  塵芥
５０  塵芥積込装置
５１  押込板
５２  回転板
５３  押込シリンダ
６０  操作装置
６１  スイッチボックス
６２ａ  積込指示ボタン
６２ｂ  逆転指示ボタン
６２ｃ  押込指示ボタン
６２ｄ  後退指示ボタン
６２ｅ  緊急停止指示ボタン
【図１】
2010202367.tif 000003
【図２】
2010202367.tif 000004
【図３】
2010202367.tif 000005
【図４】
2010202367.tif 000006
【図５】
2010202367.tif 000007
【図６】
2010202367.tif 000008
【図７】
2010202367.tif 000009
【図８】
2010202367.tif 000010
【図９】
2010202367.tif 000011
【図１０】
2010202367.tif 000012
【図１１】
2010202367.tif 000013
【図１２】
2010202367.tif 000014
【図１３】
2010202367.tif 000015